(57)【要約】  本発明はプレートの層からなる無土壌植物栽培容器に関するものである。【特許請求の範囲】
【請求項１】
多数のプレートを積層した構造を取り、最上部のプレート(4)から底部のプレート(5)まで貫通した孔(3)が空いており、
上下にきちんと重ねることが可能であり空洞(8)のある比較的密閉性のある容器(1)を形成し(最上部のカバープレート(6)およびドレンプレート(7)を含む)、
前記プレート(2)の間に植物（種、新芽、押木、塊茎、地下茎、成植物等）(10)がセットされることで植物の部位(茎、地下茎、塊茎、新根等)が液体肥料と触れることで前記植物が発芽、生長しついには代謝や光合成を行うことができ、
発根(9)は空洞(8)を利用して伸長し、
前記植物(10)から派生した他の作物の部位(11)は容器の外部に向かってプレート(2)間に置かれ、固定されたスロット(12)を通じて伸長し、
容器(1)自体はエイズ(12)によって固定され、
（安定し、取り外し可能である状態で）接続され前記植物がセットされると、液体肥料供給システム(13)(循環型または外部より供給・排出型)からの液体肥料によって養分は植物の必要な部位(根等)へと届けられ、発芽が開始されることを特徴とした土壌を必要とせずに植物を栽培することができ、様々な形状をとる容器(1)。
【請求項２】
積層する多数のプレート(2)は互いに上下に重ねてられており、カバープレート(6)およびドレンプレート(7)によって塞ぐことが可能な空洞を形成すし、
前記プレート(2)は前記植物(10)をセッティングした上で重ね合わされ、
液肥分配装置(13)は機能・操縦可能なように設置され、
完成した複数の容器(1)はフィッティングエイズによって安定した状態で固定される（取り外し可能）ことを特徴とする容器(1)の使用方法。
【請求項３】
圧力吸収能を持ち、比較的弾力のあるバンド(15)(例：固形フォーム、スポンジフィルター,…)を内装にもち、
少なくとも水透過性を持ち、根も貫通することが可能であるこのバンドは積層されたプレート(2)の間に挿入され、
封の役目を果たすことも期待できることを特徴とする請求項1記載の容器(1)。
【請求項４】
バンド(15)は一番上のプレート(2)の上に比較的密接に設置され、
2枚のプレート(2)によって固定され、さらに別のプレート(2)がその上に比較的密接に固定され、
残りのバンド(15)は後方に折り返され、上部のプレート(2)の上まで到達し、
さらに別のプレート(2)が上に重ねられるという、プレート(2)と折り返されたバンド(15)の繰り返し構造であり、
この繰り返し構造はプレートの層がバンドおよび前記植物(10)がゆるく上部に乗せられるまで続くことを特徴とする請求項3記載のバンド(15)の挿入の仕方。
【請求項５】
前記容器(1)と固定された前記植物(2)と結合し、
前記容器(1)が設置され次第（プレート(2)間で）前記植物が発芽、生長し、
繰り返し構造に植物が挿入される工程を飛ばした際には事前に発芽させることを特徴とする請求項3および4記載のバンド(15)。
【請求項６】
容器(1)の中にはプレート(2)および作物(10)が前記載の方法で繰り返し構造にセットされ、
標識やシンボル、表面の色やこれらの組み合わせによって成長の度合いを計測し、
特定の色調を持つようになったら(植物ピクセル(17))容器内の特定の場所へ移動させられ、
スロット(20)の高さを考慮した際に植物ピクセル(17)、植物の高さ(18)および植物の長さ(19)は互いに相関があり、
期待できるパターンや色、時間等のパラメーターを決定できることを特徴とする請求項1から5記載の容器(1)の設置方法。
【請求項７】
前記植物(10)とバンド(15)(事前に設置済みまたは空)がプレートとともに導入され、
これらのプレート(2)は機械操作によって前記植物(10)やバンド(15)に接合され容器(1)を形成し、
その後請求項1から6にあるように本容器は前記植物の生育が可能となることを特徴とする請求項1から6記載の容器(1)の設置に必要な機器。
【請求項８】
植物固有のサイン、シンボル、表面の色や模様、順列やグループ、またそれらのコンビネーションは請求項6記載の方法の実行へ補助を提供し、体系的に採用され、
請求項7記載の半または全自動運転についても同様であり、
上記の保存、加工された項目はEDPや他のシステム(mechanics,BUS等)を用いて通知を出すこともでき、
加工されたデータカテゴリーは植物の初期サイズ、植物の種類（種子、芽、塊茎、挿し木等）、最終サイズ、生長に要する時間、色調の計算、容量、長さおよびバンド(15)の種類(装着している場合)などを提供することができ、
必要な要約や評価、加工、計算を可能とする、
これらはオンライン上またはモバイルアプリで提供可能であることを特徴とするソフトウェア、テンプレート、パンチカードまたは他のデータキャリアやデータ処理プロセスやその機構。
【請求項９】
顧客に前記製品やサービスを提供し、
前記容器の設置、バンド(15)の販売、付属品の販売、外観のデザイン、容器の販売、広告らの提供も可能であり、
モバイルアプリ上でのオンラインストアでの注文が可能であり、
請求項1から9に記載の商品についての使用が許可されることを特徴とする請求項1から8記載のビジネスモデル。
【請求項１０】
容器(1)は剛直なプレート(2)を使うことなく前記バンドおよび植物(10)(どのような品種でも良い、事前にセットされている場合に限る)からなっており、
容器(1)内の空洞(8)には養分供給システム(13)およびプレート層を固定するためのエイズ()が存在し、
全てのバンド(15)層は互いに重なり合い、不特定のエイズ()(縫合、プラスチック溶接等)によって固定されていることを特徴とする請求項3記載の容器(1)。
【請求項１１】
外部環境からの影響や水分の蒸発は容器を囲っているプラスチックまたはホイルのスキン(軟性)によって防がれ、
このスキンには孔が空いており、前記作物の伸長が可能であり、
無害の蓋を装着し、孔をあけることも可能であり、
溶解または別の素材や製造法で得たスキンを使用することも可能であることを特徴とする請求項10記載の容器。
【請求項１２】
前記容器は斜面上部に窓を設けることで斜面にも設置可能であり、
根は容器外まで伸長することが可能であり、
斜面との接触面は台等で土や、顆粒が集積され、
固定が必要な場合は斜面内または斜面の上部より容器と固定することを特徴とする請求項10および11記載の容器(1)。
【請求項１３】
上記の状態を実行するという請求項12記載の操作方法。
【請求項１４】
本設備は上から吊り下げることが可能であり(使用初期は植物なし)、
別の容器(1)や他の無土壌栽培容器(PCT/EP2015/000132)と重ねることが可能であり、
吊り下げる際には他の容器のフック部分と輪で接続し、
当容器の発芽床は事前に作成しておき
植物は事前に容器にセットしておくか、後でセットされるものとし、その際は発芽床も後からセットされ根が成長することを特徴とする請求項10および11記載の容器(1)。
【請求項１５】
発芽床は互い編み込まれ、そうでなければ繊維技術的に1本から数本の繊維、糸、ロープの発芽床（例：ココナッツ繊維）を形成し、立体的な発芽床を持ち、
容器(1)内に吊り下げることができ、
他の製品(PCT/EP2015/000132)の吊り下げ部分にも装着可能であり、
同時にこの発芽床は水を用いることで可逆的に圧縮・伸縮可能であり、
長期保存後、立体的に発芽床として利用することが可能であることを特徴とする請求項14記載の容器。
【請求項１６】
繊維は繊維技術的に立体的な発芽床へと加工され、
輸送・保存時には圧縮され、圧力を取り除くことや水を加えることで再び立体的に膨らむことを特徴とする請求項15記載の発芽床の使用方法。
【請求項１７】
各プレート(2)にはいくつかのエクステンションがプレートの端の切り込みへと繋がっており、
じゃがいも、ショウガ、塊茎等が横に根を伸ばすことが可能であり、
これらのエクステンションは、スプーン状、ネット上またはマス目状になっており、
すでに発芽している根はプレート内のスロットにセットし、スプーン状の方ではなく外側へ生育させることも可能だが、植物が彼ら自身で生長方向を決められない場合には本エクステンションを使用することもでき、
これらは他の容器(PCT/EP2015/000132)へ使用したり、Nathaniel Storey (Bright Agrotech社)の植物タワーの空間やプレートに使用することも可能であり、 
また、容器(1)やプレート層、本請求項の他の容器にも背面なしで遮光性のホイルを利用することで搭載可能であることを特徴とする請求項1記載の容器(1)。
【請求項１８】
トレイ(スプーン状、ネット状、マス目状)はバンド(15)や類似した平行に引き伸ばされた繊維でできており、
これらの繊維は前記作物の上部(10)に設置することで輸送の際の緩衝材としても機能することを特徴とする請求項17記載の容器。
【請求項１９】
空洞の内径に接しているプレート(2)と、垂直の植物のタワーは前方スロット(垂直)とトレイ(請求項17および18に記載)は(2)の上または下の隅にある空間により接続されており、
前方スロットの苗の上には遮光性のバンド(15)が設置され、
その上には次の（じゃがいも）プレートが遮光プレートとして空間垂直タワー(例：Nathaniel Storey)の前方スロットが設置されることを特徴とする請求項17および18記載の容器(1)。
【請求項２０】
積層されたプレート等((1)の一部)の外側（または同じく内面）は吸音能力を持つの卵パックの表面のような材質であり、例えば固形フォームを貼る(防水性)ことで成立し、
他の無土壌栽培容器(PCT/EP2015?000132、Nathaniel Storey)の外壁構造を模倣することを特徴とする請求項1から19記載の容器(1)。
【請求項２１】
根菜の生育を可能とする長さのプレート(2)を持ち、
高密度でいくらか硬い固形フォームがプレート(2)の前方に挿入されることで根の生育が可能となるが、
同時に根菜が触れているプレート(2)は閉じられており、
早期生長段階に前記根菜の下または上に置かれることを特徴とする請求項1から20記載の容器(1)。
【請求項２２】
発芽床は固く、平行に並んだトゲ・爪状の突起があり、
これらの突起は壁の孔(8)に差し込み、取り外すことが可能であり、
壁を貫通して出てくる爪の部分は互いに結合したり、
別の領域やグループ、苗に結合することが可能であり、
植物（植物または発芽苗）はプレートの端にへ発芽床（細菌の増殖を抑えるために十分な根が生長した場合等）を用いることでセット可能であり、
この突起付き発芽床は他の容器(PCT/EP2015/000132、Nathaniel Storey 等)にも接続・脱着可能であることを特徴とする請求項15記載の容器(1)。
【請求項２３】
安定し、比較的高密度のプレートが平行方向に重ねられており、
カバープレートやドレンプレートが用いられることもあることを特徴とする請求項1から22記載のプレートの層。
【請求項２４】
積層されたプレート(2)は始め非剛体物質で作られ、その後時間とともに硬化していく可能性が考えられ、
代替として3Dプリンターでの合成も可能であることを特徴とする請求項1から23記載の容器(1)。
【請求項２５】
密封された収容箱に挿入可能であり、家具や壁、乗物の内面等に設置した状態で稼働可能であることを特徴とする請求項1から24記載の容器(1)。
【請求項２６】
非剛体部位は（必ずしも）硬化することはないが、内面の高水分空間(8)また外部環境からはホイル等の閉鎖的ホース（例：シリコン性ホース、砂袋、ホイル等）によって区画されているのみであることを特徴とする請求項24の容器(1)。
【請求項２７】
垂直に重ねることはできないが、螺旋状につなげることが可能であり、
植物を搭載した容器全体ごとつなげることができることを特徴とする請求項1から26記載の容器(1)。
【請求項２８】
設置器具の伸長が可能であり、折りたたんだ後伸長することで容器(1)を形成することを可能とする請求項27記載の容器(1)。
【請求項２９】
前記植物の状態、結果および必要な操作が取られることを特徴とする請求項1から19記載の操作。
【請求項３０】
対象物および操作は製品およびサービスとして提供されるという請求項1から29記載のビジネスモデル。
【発明の詳細な説明】
【技術分野】
【０００１】
本発明は、土壌を必要とせず、小スペースで多様な植物の栽培が可能な栽培容器である。
【先行技術】
【０００２】
容器内の根には栄養溶液が供給され、植物がスリットから成長することを可能にする容器など、現在様々な無土壌栽培容器が知られている。しかし、従来の技術と市場は、個々のプレートを積み上げることで根の成長に必要な空間(キャビティ)を形成できるかどうかについて偏見を示している。この空間は苗のセッティングの際や組み立て時に機械や自動化できるという利点を持つ。現在のところ自動化されたプロセスやデバイスは発明されていない。プレート層より構成される容器の開発は、苗を自動的に植え付け、回収することを可能にし、作業の効率化に貢献する。また、成長度合いを示す植物標識やパターンなどを自動的にコンピュータで認識するプロセスや機械は知られていない。本発明は、よりシンプルで均一なユーザビリティを通じて利点を提供する。また、本発明は植物からのサインやパターンを認識する軽量の初めての無土壌容器である。
【発明の概要】
【０００３】
本容器は、個々の平板またはプレートまたはディスクで構成される(取り外し可能)。これらのプレートは安定した状態で積み重ねることができ、可能であれば、全体として共通の形を生み出す(ただし、後者は幾何学的に非常に多様な形をとることができる)。プレートは、様々な色で加工することが可能であり、置かれる環境に対して耐性を持つ。これらは防水性をもち、化学的安定な材料で加工される。(化学的安定性＝酸素、水、液体肥料内の栄養素に対して)。
【０００４】
基本的にプレートは、いくつかのプレート間に高密度で植え付けを行うために、かなり平らな形状をしている。全体として、プレート(総プレート層)は多種多様な形状を取ることができる。
【０００５】
個々のプレート自体は、比較的密に積み重ねることができる範囲であれば、様々な水平(カール、ギザギザなど)の形を形成することができる。総スタックの形状の変化は、プレートの幅と長さが次のプレートにわずかに異なるため、積み重ねやすさによって発生する可能性がある。プレートの高さは比較的薄く、均等でなければならない。さらに、全てのプレートは、その内部に凹部を持っている(上から見た場合)。これは、一連のプレートから意図した方法でプレートを互いに重なって置くと、外殻を持つ総体(プレート間の薄い隙間=スリットによって中断される)が生じるような方法で、各ケースの一連のプレートに配置される。また、凹部からも空洞が形成され、他の植物の根塊や液体肥料、空気等でされることができる。同様に、発芽床を根の間に配置することができ、細菌培養物の着床を可能にし、根を支えることも期待できる。形成された空洞は、最終プレート(凹部なし)で蓋をすることで完成し外部環境からの影響を防ぐことができる。またこの最終プレートには、液体肥料供給ラインを統合することができ、液体肥料を外部から内部へ供給することができる。点滴状またはスプレー状のパイプを空洞内に通すことができる。液体肥料の移動を司る電源(ポンプ、スチフナー、フォガー、...)は、内側または外側に設置することができる。底部にはドレンプレートが設置され余剰になった液体肥料を回収すると同時に密閉することができる(凹部から回収されるが、他の空洞の凹部のように大くはない)。そこでは、外側へのドレン(例えば底、後部、...)または空洞内の再循環を引き起こすシステム(後者:フォガー、ポンプライン)を取り付けることができる。上記の取り付けられたデバイス（ポンプ、...)の動作に必要なエネルギー供給システムが取り付けられる(外部または内部)。プレートは、記載されているようなスプレーに対して、安定かつ比較的決定的に接続されている。接続の安定性は、例えば、すべてのプレートを通す(またはすべてのプレートが比較的正確な追加の凹部に沿って取り付けられている)(または比較的正確な追加の凹部に沿って取り付けられている)(ネジ付き)ロッドによって、一緒に保持または保証することができる。この場合、ねじ付きナットはプレートスタックの上下に正確にねじ込むことができ、プレートスタックを一時的に固定する。
【０００６】
同様に、さらなる凹部によって導かれたロッドを使用する代わりに、プレートスタック(例えば、ねじ力の種類に応じて、またはスタック上の凹部にスナップする折りたたみ可能なグリッパーを介して)のために十分に固定されたブラケットを作成することができるが、それぞれが成長面のカバーがほとんど存在しない(=プレート間の亀裂)が、何よりも好ましいのは主な成長側にカバーがないことだ。スタック自体の固定は、上部のトッププレートまたは底部の収集プレートを含めて行うことができ、または一方で、この最初のプレートをそれ自体なしで、次にこれら2つのカバープレートとドレンプレートの間で正確に行うことができ、最終的にこれらで固定される。固定は、空洞自体でも可能である。しかし、空洞は、必要に応じて後部に均一に開くようにしてもよい。例えば、容器に防水性のあるファサードを取り付けることによって開閉できるようにしてもよい。上記記載の液体肥料供給システムは、事前に固定されたプレート層のブラケットに加えて、このファサードに取り付けることができ、これは後で空洞に挿入される。同様に、デッキとドレンプレートは、適切な間隔ですでにそこに取り付けることができる。サスペンション装置は、そのような固定が到達できる凹部と同様に、プレート層または外の個々のプレートに取り付けることができ、例えば、総プレート層が壁の釘に掛けられるようにする。背面への開口部は、両方の曲線によって二分割された'8'の形で設計することもでき、互いにほとんど連結しない、ファサード上の2つの空洞をスタックと一緒に形成することができる。同様に、オープンバックの有無にかかわらず、1つ以上の閉じた空洞がプレート層から形成されている限り、様々な外装を取ることができる。基本的に、互いのプレートが別のまたはスタック上に配置される前に、それは成長する以前のプレート植え付け材料の上端に配置され、これらのプレートとその上に置かれたすべての後続のプレートとの間に損傷を与えることなく、可能な限り固定される。植物材料としては、非発芽種子、苗、挿し木、または発達した根、幹、葉を有するものを利用ことができる。豆、苗、生長済みの植物などは成長に応じて配置し、根は最終的に内側に横たわるようにし、外側に発達することができる。それは、植物の材料を安定させ、スタックの内部およに/および外部の内側および/および外部の両方に保護サポートまたは向きを提供したり、内部および外部の下向きにスプレー流体を導出し、接着性を地用するために、プレートトップおよび底部に適切な凹部またはノッチを必要に応じて提供することができる。同様に、プレートやプレート層を握ったり固定したり、機械に運んだりする。
【０００７】
スタックの作成時にプレート間に拡張実行フォームが挿入され、それぞれに弾性ストリップがついている植え付け材料の下、上下の両方の材料、場合によってはオフセットが付いている。一方で、このストリップは、ハードクランプを湿らせるだけでなく、それぞれの植え付け材料 (2つのプレートの間のスロット)間のクリアランスをより良くシールすることを意図している。特に、このストリップは、最初のプレートから、互いに配置されたプレート間の最初のプレートから、その上に配置されたプレート間のすべての後続のスペース(スロット)から始まる部分に連続的に敷設/アタッチされてもよいし、ここでストリップは、プレートの上部とそれに取り付けられたプレートの底部の間にクランプされるたびに、ストリップのもう一方の端が立つ側の端にあり、プレートの上部の反対側の方向に、前のプレートとバックナックストライプ部分に別のプレートが配置される。また最後のプレートまで続くことができるように、配置することができる。ストリップは、挿入前にロールアップまたは折りたたむ可能性があり、プレートの数とプレートの高さを克服するために(後方座屈によって)十分に長くする必要がある。ストリップは、クランプされる前に2枚のプレートの間に比較的正確に固定する必要がある。このようなバンプや凹部は、互いに割り当てられ、スタック自体の一般的な固定をサポートすることもできる。同様に、植え付け材料をプレートに配置する場合、安定化および配向のための補助剤を使用することができる。挿入およびクランプされたストリップは、それぞれのプレートの上部の表面全体を、各層/位置の下に均等に覆う必要がある。しかし、プレートの内側の凹部の上に来るストリップの表面は、異なっていることがある。一方で、ストリップはプレートのエッジと内側の両方にまたがる。これは間違いなく水透過性、多孔質テープ材料、特に根の成長による良好な浸透が可能であるべきである。さらに、ストリップ中の各プレート中の凹部を省略することもでき、栄養液の根の成長や流れを防止しないようにする。これは、プレハブ、または例えば、フィッティング時にパンチアウトすることによって行うことができる。
【０００８】
さらに、単純または多様な切開部は、マガジン等の完全な機器の代わりに、オーバーストレッチされた凹部表面面またプレハブに設置することができるが、テープやプレートをピッキングする際にファイルに応じて様々な制御可能な配置の選択肢から選択できる必要がある。したがって、データ・セットと制御プロセスを組み立てマシン上で組み合わせることで、例えば、エンド・カスタマーは、オンラインサイトのインターフェースを介してレタリングまたは画像サンプルを個別に組み立てることができ、必要に応じてオンラインで委託できるため、顧客と注文レコードは、最終的に植えられたプレートスタック/コンテナまたは使用可能な組み立て済みテープを本番環境で受け取ることができる。さらに、単純または多様な切開部は、完全な広告スペースの代わりに、オーバーストレッチされた凹部表面またはプレハブにインストールすることができ、また、この方法で予約し、構成することができる。顧客または専門のオペレータは、植物の広告(看板、パターン)がストックされているファサードを設計することができる。しかし、全体的に、すべての単純な変異体は、例えば、プレート上の植え付け材料の単純な無秩序な散乱、またはバンド上の固定のために考えられる。原則として、プレートは互いの上に平らに積み重ねられるので、凹部はプレートの最も大きい表面に位置する。スロットが上から下に走るように側面に置かれた一連の取り付けられた版も考えられる。しかし、水平カバーとドレンプレートを利用することも可能である。
【０００９】
-取り外し可能で安定した平らなプレート層
-全体で1つのフォーム
-比較的安定、化学的に安定
-スタックとしてのさまざまな（外部）フォーム
-ギザギザの波形のプレート
-プレートの内側のくぼみ
->発芽床用にも使用可能な空間
-ドレンプレート（デッキ+回収部分/ ...）
ライン
変種
-
-
-
-安定した（取り外し可能な）接続
-ねじ棒
-くぼみが追加されたため（正確にフィット）
-固定された端（プレートから滑り落ちない）
-ナット、ピン、ワイヤーリング
-
-クラッチ、ネジクランプ、スナップグリッパー-縫製？
-ノット/ CAD
-ゴムバンド- 接着剤（-核心 / 溝 + バネ）-自らの重さ
-壁のプレート間に挿入することによる固定
-カバープレート/ドレンプレートとの固定
-「/」なし+後でそれらの間に挿入+固定
-プレート層自体の空洞内の固定
-ファサードによって閉じることが可能な後部に開いた空洞
-例：2半円以上、「8」が上から下に半分。
-複数の空間
-すでにファサードに供給要素
-サスペンション
-様々な凹み/背面の凹み/釘/フック/壁の取っ手
-容器前方または上部のフックおよびループ
通常、必要に応じていくつかの空洞
すべてのプレート層間/スロット内に植物が植えられる
-正しい向きに配置-（根は内側、残りは外側
-初めにに発芽
-植物のための切れ目
-""（スプレー状の）水（内側/外側）
-機械での輸送用、取り扱い用
ゴム？
リングC
（発明の詳細な説明）
【図面の簡単な説明】
【００１０】
【図１】丸１
【図２】丸２
【図３】丸３
【図４】丸４
【図５】丸５
【図６】丸６
【図７】丸７
【図８】丸８
【図９】丸９
【図１０】丸１０
【図１１】丸１１
【図１２】丸１２
【図１３】丸１３
【図１４】丸１４
【図１５】丸１５
【図１６】丸１６
【図１７】丸１７
【図１８】丸１８
【図１９】丸１９
【図２０】丸２０
【図２１】丸２１
【図２２】丸２２
【図２３】丸２３
【図２４】丸２４
【図２５】丸２５
【図２６】丸２６
【図２７】丸２７
【図２８】丸２８
【図２９】丸２９
【図３０】丸３０
【図３１】丸３１
【図３２】丸３２
【図３３】丸３３
【図３４】丸３４
【図３５】丸３５
【図３６】丸３６
【図３７】丸３７
【図３８】丸３８
【図３９】丸３９
【図４０】丸４０
【図４１】丸４１
【図４２】丸４２
【図４３】丸４３
【図４４】丸４４
【図４５】丸４５
【図４６】丸４６
【図４７】丸４７
【図４８】丸４８
【図４９】丸４９
【図５０】丸５０
【図５１】
【図５２】
【図５３】
【図５４】
【図５５】
【図５６】
【図５７】
【図５８】
【図５９】
【図６０】
【図６１】
【図６２】
【００１１】
（発明の名称）無土壌栽培容器形成プレート
（技術分野）
本発明は、土壌を必要とせず、小スペースで多様な植物の栽培が可能な栽培容器である。
（先行技術）
【００１２】
容器内の根には栄養溶液が供給され、植物がスリットから成長することを可能にする容器など、現在様々な無土壌栽培容器が知られている。しかし、従来の技術と市場は、個々のプレートを積み上げることで根の成長に必要な空間(キャビティ)を形成できるかどうかについて偏見を示している。この空間は苗のセッティングの際や組み立て時に機械や自動化できるという利点を持つ。現在のところ自動化されたプロセスやデバイスは発明されていない。プレート層より構成される容器の開発は、苗を自動的に植え付け、回収することを可能にし、作業の効率化に貢献する。また、成長度合いを示す植物標識やパターンなどを自動的にコンピュータで認識するプロセスや機械は知られていない。本発明は、よりシンプルで均一なユーザビリティを通じて利点を提供する。また、本発明は植物からのサインやパターンを認識する軽量の初めての無土壌容器である。
（発明の概要）  
本容器は、個々の平板またはプレートまたはディスクで構成される(取り外し可能)。これらのプレートは安定しズレない状態で積み重ねることができ、可能であれば、全体として共通の形を生み出す(ただし、後者は幾何学的に非常に多様な形をとることができる)。プレートは、様々な色で加工することが可能であり、置かれる環境に対して耐性を持つ。これらは防水性をもち、化学的安定な材料で加工される。(化学的安定性＝酸素、水、液体肥料内の栄養素に対して)。
【００１３】
基本的にプレートは、いくつかのプレート間に高密度で植え付けを行うために、かなり平らな形状をしている。全体として、プレート(総プレート層)は多種多様な形状を取ることができる。個々のプレー ト自体は、比較的密に積み重ねることができ、安定している範囲であれば、様々な水平(カール、ギザギザなど)の形で強固に固定することができる。
【００１４】
湿・乾紙の印刷
個別に
+ 剛直にプレス
+ 機能性フォーム
【００１５】
総スタックの形状の変化は、プレートの幅と長さが次のプレート(高密度)にわずかに異なるため、積み重ねやすさによって発生する可能性がある。プレートの高さは比較的薄く、均等でなければならない。さらに、全てのプレートは、その内部に凹部を持っている(上から見た場合)。これは、一連のプレートから意図した方法でプレートを互いに重なって置くには困難であり、外殻を持つ総体(プレート間の薄い隙間=スリットによって中断される)が生じるような方法で、各ケースの一連のプレートに配置される。また、凹部からも空洞が形成され、他の植物の根塊や液体肥料、空気等でされることができる。同様に、必要なバわいには発芽床を根の間に配置することができ、細菌培養物の着床を可能にし、根を支えることも期待できる。形成された空洞は、最終プレート(通常凹部なし)で蓋をすることで完成し外部環境（蒸発等）からの影響を防ぐことができる。またこの最終プレートには、液体肥料供給ラインを統合することができ、液体肥料を外部から内部(液体肥料は上部から発射されるため)へ供給することができる。点滴状またはスプレー状のパイプを空洞内に通すことができる。液体肥料の移動を司る電源(ポンプ、スチフナー、フォガー、...)は、内側または外側に設置することができる。底部にはドレンプレートが設置され余剰になった液体肥料を回収すると同時に密閉することができる(凹部から回収されるが、他の空洞の凹部のように大くはない)。そこでは、外側へのドレン(例えば底、後部、...システム内へ)または空洞内の再循環を引き起こすシステム(後者:フォガー、ポンプライン)を取り付けることができる。上記の取り付けられたデバイス（ポンプ、...)の動作に必要な防水性のエネルギー供給システムが取り付けられる(外部または内部)。プレートは、記載されているようなスプレーに対して、安定かつ比較的決定的に、同時に取り外し可能なように接続されている。
【００１６】
接続の安定性は、例えば、すべてのプレートを通す(またはすべてのプレートが比較的正確な追加の凹部に沿って取り付けられている)(または比較的正確な追加の凹部に沿って取り付けられている)(ネジ付き)ロッドによって、一緒に保持または保証することができる。この場合、ねじ付きナットはプレートスタックの上下に正確にねじ込むことができ、プレートスタックを一時的に固定する。同様に、さらなる凹部によって導かれたロッドを外部から使用する代わりに、プレートスタック(- ゴムバンド + - 他の方法 - 接着剤 - 溝 + ばね + 自らの重さ) 例えば、ねじ力の種類に応じて、またはスタック上の凹部にスナップする折りたたみ可能なグリッパーを介して)のために十分に固定されたブラケットを作成することができるが、それぞれが成長面のカバーがほとんど存在しない(=プレート間の亀裂)が、何よりも好ましいのは主な成長側にカバーがないことだ。
【００１７】
ゴムバンド --+
【００１８】
スクリュークランプまたは折り畳み式のグリッパーを使用してスタックのくぼみにスナップする）-（ただし、いずれの場合も成長エリア（=プレート間の亀裂）多少覆うが、可能であれば、主に植生側ではない）。またはドレンプレートまたはカバープレートのどちらか、一方で最初にそれ自体に取り付けられずに、その後、これら2つの固定されたカバーと収集板のそれぞれの間に正確に挿入され、最終的にそれらで固定される。
【００１９】
同様に、プレートスタックの固定は空間自体でも可能である。
【００２０】
一方、空洞は本ファサードに防水性のファサードなどのプレート層の扉を取り付けることで背面の開閉が可能である。たとえば、将来的には空洞内にある栄養液の供給も、事前に固定されたプレートスタックのホルダーに加えて、この正面に取り付けられる。
【００２１】
同様に、カバーと収集プレートは、必要に応じて適切な距離で、残りのプレートなしで直接取り付けることができます。（このような固定が届く可能性のある凹部と同様に、吊り下げ装置は、スタックまたは外側の個々のプレートに取り付けることができます。これにより、スタック全体を壁の釘フック「ハンドル」に掛けることができます。
【００２２】
後方への開口部は、両方の丸みによって上から下に半分になる「8」の形に設計することもできます。これにより、互いに通じない、またはほとんど通じない2つの空洞をスタックのファサードに形成できます。同様に、開いた背面の有無にかかわらず、1つ以上の閉じたキャビティが内側のプレートのスタックから形成される限り、すべてのジオメトリ[]を想像できる。
【００２３】
基本的に、別のプレートが別のプレートの上またはスタックに配置される前に、植栽材料はこれまで最上部のプレートの上端に配置されるため、これらのプレートとその後に追加されたすべてのプレートの間で損傷することなくクランプできる。実生とは、発芽していない種子、実生、挿し木、または根、茎、葉の領域が発達した植物を意味すると理解することができる。
【００２４】
豆、実生、発育した植物などは、成長に応じて配置する必要がある。その結果、根は最終的に内向きになり、他の人は外向きに成長できる。
【００２５】
植栽材料を安定させ、スタックの内側および/または外側、またはそれぞれの場合にスプレー液用のプレートの内側表面に保護的な保持または方向付けを提供するために、対応するくぼみまたはノッチをプレートの上下にオプションで提供することが可能である。または、外側に下向きに導き、接着力を利用する。
【００２６】
プレート/スタックをつかんだり固定したり、機械で輸送したりするために、ノッチ/凹部を作ることもできる。
【００２７】
スタック空間内の種    布+種    紙＋糸  層ごとに糸の切断
腐敗+根    張力
互いに結ばれたプレート
【００２８】
実施形態では、スタックが作成されるときに、弾性ストリップがプレートの間に挿入される（苗の下または上下の両方、または上下の苗のいずれか、場合によってはオフセットもされる）。一方で、このストリップは、植物材料のハードクランプを減衰させ、それぞれの植物材料（2つのプレート間のスロット）間の自由空間をよりよく封することを目的とする。特に、このストリップは、最初のプレート間の最初のスロットから始まり、その上に取り付けられたプレート間のすべての後続の隙間（スロット）にストリップで最初のスロットから連続して配置/取り付けることができる-これらの場合、プレートの上部とそれに接合されたプレートの下側はつまれている-それぞれの場合、ストリップの残りの端が突き出ている側縁で、それは反対方向に「後ろに」曲げられ、ストリップは上に接合されたプレートの上部に載るようになる。これにより、前のプレートとストリップの曲がった部分にさらにプレートを配置できるため、最後のカードまで継続することが可能である。ストリップは、挿入する前に巻き上げるか折り畳むことができ、プレートの数とプレートの高さを克服するのに十分な長さで利用可能/寸法化する必要がある（後方に折り畳むことにより）。ストリップは、スリップしないように2つのプレートの間に固定する前に一時的に固定する必要がある。この固定には突出したバンプや、株のプレートには突き刺している突起や穴が用いられる。
【００２９】
互いに関連するこのようなバンプとくぼみは、スタックの一般的な固定もサポートすることができる。安定化と方向付けのエイズは、植物材料をプレートに装着するときにも使用することができる（ベーキング、グリッパー、プレートなど）。挿入および固定されたストリップは、特に各レイヤー/レイヤーで使用する必要があります。下の各プレートの上部の表面全体を均等に覆っている。
【００３０】
ただし、プレートの内側のくぼみの上にくるストリップの領域は、さまざまなタイプにすることができる。一方では、ストリップはプレートの端と凹部の内側の両方にまたがることができる。これは必ず透水性の多孔性テープを素材としている必要がある。特に、必要に応じて根の成長をうまく促進させ、必要に応じて、例えば炙ったりコーティングしたりして、端を密封する必要がある。さらに、それぞれのプレートの切り欠きは、根の成長と空洞内の液体肥料の流れを避けるためにストリップで切り取ることができる。これは、事前に作成することも可能である。装備されている場合、クランピング/ホールドでパンチアウトする。
【００３１】
不安定：+プレート上              +ストリップ      自らの重量、フック
アイレット                                       ＋プレートに接着されたバンド
ループ
【００３２】
さらに、単純なまたは多様な切開を、スパニングされた空間領域で行うか、完全な内部のストリップの除去ではなく事前に作成する必要がある。これにより、目的の細菌のコロニー形成を促進することができし、温度安定性と保水性の向上が期待できる。また、ストリップのこれらのバリアントの混合形式＝組み合わせも提供可能である。
【００３３】
さらに拡張されたバージョン（+その他）は、上記の説明に従って、一定の間隔で/事前に特定の植栽材料で既に恒久的に植栽されたテープを提供する。
これは、縫製などで行うことができる。種子（テープの2層間、種子の周りの縫い目など）に加えて、従来の種子テープを圧力減衰テープに取り付けるか、優れた苗木/植物に平行にして、苗木やその他の留め具（粘着するフォームなど）に貼り付ける）で起こる。必要に応じて、テープは、顧客用の既知の種テープのように既にストックされている。生物学的要因に加えて、適切かつ十分なサイズになるように、ストリップ（スタック）の形状とプレートの高さを考慮に入れることが重要である（望ましい最終成長植物、元の苗のサイズ+後期、成長段階、発芽能力、色、植物の要件、... < -別のトピック）。
現場または在庫のテープまたはむき出しのプレートの組み立ては、パターンまたはサインを後で達成すること、または植物の成長と色によって認識される複数のものをすでに目的とすることができる。機器を選択して配置する際には、関連するすべての生物学的パラメーターを考慮に入れる必要がある。
別の拡張された実施形態は、一方では利用可能な適切なプレートセットを有し、それらに取り付けることができる機械に関するものであり、さらにこれらのプレートは、前述の非装備または取り付けバンドのセクションに取り付けるために個別におよび/または場合によっては同時に苗に取り付けるために必要なセットが完了するまで、セット内のすべてのプレートと関連機器（植え付け材料、テープまたはテープなし、テープが既に装着されているかどうか）でこれが繰り返される。
【００３４】
具体的に言うと、これはプレートセットが対応する機械の正確に適合するシャフト（詳細）に、輸送用ネジ、例えばプレートが互いに等間隔になるように（2つのネジまたはギアまたはフラップまたはグリッパーの間のプロセスによってネジが上げられ、全体として）、輸送または送りネジを下に回すことにより、プレートを個別に排出できる短時間の通知で固定するか、すでに安定して固定することができる（たとえば、プレートを対応する記述されたネジ付きロッド（「接着剤」）に分配することにより（またはそれ以降（半自動？））、苗木/シードストリップ/ストリップ（特に）、別のプレートが排出されて、リボンが背面で折り畳まれている可能性がある。
テープを使用する場合、これは、可動スプールホルダー（または可動ピン）のロールまたはスプールに入れて、前後に移動し、植え付け材料とともに発行されたプレート上に展開できます。（可動）テープマガジン（または可動ピン）も使用できます。折り畳まれたリボンなど。
【００３５】
両方とも、プレート出力と交互に（詳細に）新しく発行されたプレート上で前後に（直線的に前後に）移動し、場合によっては植え付けと並行して行われる。
【００３６】
----
戻る->
事前に入力済みであることが確認済み：はい  新規に縫合
適した技術、上部からのサイド押し棒+再張力
+縫製+種の固定
+スタッキングファスナー、カート、サックストリップは閉
ねじ棒の引き込み/ ...
または最後に 自動化/
手動
シートの安定化/など
【００３７】
テープが機械の現場で迅速に組み立てられ、縫製されている場合（上流？）、または植え付け材料が固定されている場合、テープをそれぞれのプレート（端に曲がり）、スプール、またはテープマガジン上で前後に移動する必要があるが、テープをロードするプロセス（ミシンなど）の前に配置され、テープはディスクとその後ろの座屈（ピン）に配置される。ただし、テープ（雑誌/ロール）を確実に確認する必要がある？新しいディスクがスタックに排出されたときに邪魔にならない。必要に応じて、バーを使用してテープをディスペンシングパスから遠ざける。バーは、ねじれプロセスを引き起こす可能性もある。テープがまだ取り付けられていない場合は、プレート（または利用可能な場合はプレートのテープ）に植え付け材料を適切なメカニズムで適用するか、代わりに植え付け材料にテープを貼り付けるか、その組み合わせを使用できる。これには、従来の播種機および/または配置機または自動機の使用も可能である。さらに、グリッパーまたはサポートは、植え付け材料および/またはテープを、挟まれるまで短時間安定した位置に保持できる。
【００３８】
事前に作成されたテープの場合、テープと組み合わせた植栽機器の組み合わせは、永続的な取り付け（（縫製）縫製（2層全周|1層、縫製）、接着/防水）ではなく別々に行わレル（防水ないがこれは無害である））など）植栽材料が適用され、必要に応じて巻き上げられたり折り畳まれたり、場合によっては梱包、保管、輸送された後のベルトに。プレートの切り込みまたはくぼみを打ち抜く可能性がある。ストリップ/くぼみ表面のストリップは、ストリップの製造前または機械に取り付けたばかりのプレートセットで行うことができる。
【００３９】
それぞれの場合の機械のステップは、テープ、苗木+プレートを正確に配置するために、正確に一致して調整されている。操作は機械式から完全自動化まで設計が可能である。テープの読み込みを含むプレートの読み込みプロセス全体は、手動で、完全に自動で、または機械なしで混合できる。機械プロセスは、パンチカードのようなプロセス、バス制御のプロセス、または電子データプロセスがサポートするプロセスに基づいて、完全に手動で開始し、機械的に制御できる。後者は、入力デバイスを使用して事前にプリセットするか、事前にプログラムするか、または予告なしに決定することができる。それぞれの機器を含むプレートスタックの組成は、例えば安定した固定（しかし取り外し可能な）要素（ねじ付き）を備えた機械で行われるか、短時間だけ固定され（たとえばカバーとキャッチプレートなし）、安定した固定最終状態になる（たとえば、しっかりと取り付けられたカバーとキャッチプレートの間にスタックを挿入することにより）、追加の手段（スレッドまたはワイヤ）でスタックを保持することができる。場合によっては、相互に追加の固定具の追加も可能である。たとえば、1つまたは複数の固定ロッドを、端部と上下にある追加の凹部に正確に取り付けることで機械的にガイド？スタックの端部（カバーと収集プレートを含む可能性があります）に対して固定できる（例えば、ネジとナット、またはロッドの端の穴を通るピンなど）。
【００４０】
+印刷+他の容器                                        + 他
-バリアント（EP2015など）                             +ホイルバックパネル
【００４１】
この目的のために、それぞれのプレートのプレートスタックの端部（たとえば、カバープレートの上部および/または収集プレートの下面）にくぼみを設けて、固定手段（ナット、ピン（さまざまなワイヤリング）など）を沈めることもでき、修正することができる。スタックの組み立て中に、可能なすべての（栄養溶液）供給要素（点滴管など）およびすべての再循環内部要素とすべての内部（栄養溶液）排出要素も、機能的に装備/接続された接続を含むプレートで作られた容器に機能的に取り付けられなければならない（外）。これらの部品は、すでにカバープレートまたは収集プレートの一部であるか、アセンブリ中にこれらの部品またはコンテナの他の部品（通常は内部）に機能的に取り付けられている。
【００４２】
最後に、機能的で動作可能なエネルギーとデータの供給（エネルギー、液体、エアロゾルなど）も接続する必要がある。
【００４３】
容器は、その作業場所に輸送され、必要に応じて固定され、固定手段、例えば、再循環システムまたは他の栄養溶液システムに接続され、場合によっては排水システムに接続される（自律的に動作しない場合、または電気に接続されていない場合）。
【００４４】
たとえば、ファサードに安定して設置するか、温室の植栽タワーとして自由に吊るすことができる（シリーズ/個別）。
【００４５】
容器を形成するためのスタックの構成に応じて、いくつかの動作段階があります：例えば、貯蔵（乾燥（分離/装備/距離）、非アクティブ）、対応する生物学的に必要な条件下での発芽および/または成長段階の前/後、および最終的には成長と動作最終目的所では、収穫および/または再取り付けまたはメンテナンスにも使用可能である。
【００４６】
本発明の拡張された実施形態および動作モードは、プレート間の植えられた空間（スリット）の定義された連続セクションで、苗が特定の色特性を（発達段階で）提供されることを含む。希望する成長と操作の計画されたパターンとキャラクターは、そこで成長する植物の異なる色によって色の点で後で区別することができる。これは、異なる葉の色（または色合い）または植物全体の色/色にすることができます。効果は、影響を受ける可能性があるが、明らかに異なると思われる花の色またはそれらの主要な色成分の有無も影響する。植物または花（またはそれぞれの場合に特定の数）に色プロパティが提供される各セクションは、「ピクセル」として定義することができる。
【００４７】
この「植物のピクセル」は、コンテナの2つのプレート間の分離スロットで特定の幅で定義され、同時に必要に応じて「ピクセルの高さ」で通常定義される。
具体的に
「背景」+「パターン」/「種類」+その中の位置
->合計ピクセルシステム結果
【００４８】
植生が垂れ下がるか、光に向かって伸長するため、少し低くまたは高く定義する。使用される植物グループの予想される成長特性から、選択可能なピクセルサイズ（最小など）（高さと幅）は、これに由来し、派生したプレートの高さ（厚さ）（むしろ最大の高さ（拡張よりも制約が大きい+プレートの高さが小さいため） +望ましいスロットの高さ）+スロットの高さ（植物は圧迫できるが、あまり拡大しない傾向がある）（スロット内の苗の直径と、スロット内のテープやスペーサーなどの他の挿入物に依存）目的のパターンまたは文字（またはグループ/文字のシーケンス/パターン）に必要なピクセル数（合計またはパターン/文字行ごと）から、プレートとスペース（スロット）+スペース+スペース+スペース（またはそれ以上）の数を少なくとも重ね合わせる必要がある（領域+希望の文字サイズ）。ピクセルサイズに応じて（および場合によってはピクセルの色によって）固定ピクセルグループを持つ文字とパターンを定義および要約できます。目的の色とピクセルサイズに応じて、これらのピクセルグループを、対応する色と生物学的特性を持つ特定の定義された植物品種に割り当てることができる。これは、プリンター、プリンタードライバー、または印刷プログラムのピクセルに異なる「インク」を割り当てることと同じである。この割り当ては、ピクセルレベルまたはピクセルグループレベルで行うことができる（文字、パターン、（表面側で組み合わされた文字/パターン、これらの組み合わせ+背景+これらすべての大部分）...）（ソフトウェアインターフェイスのみ）（マシン側のみ）ピクセルのみ）。グループは、必要に応じて、同様のピクセル充填成長特性、開発時間、および色（花、葉）のために、ピクセルサイズと色の観点からまとめることが可能である。
【００４９】
これは、データシート+手動アセンブリ用のサンプルテンプレート（またはボタンを押す、自発的な電子データ加工選択など）、またはアセンブリプロセスでマシンプロセスにアクセスできるファイルに保存できる。コンピューター支援の手順では、ワードプロセッシングインターフェイスまたは画像処理または描画ソフトウェアインターフェイスを、アセンブリプロセスに影響を与え、対応するマシン（詳細チェーン）を制御するソフトウェアと組み合わせることができる。
【００５０】
最終顧客は、例えばキーボード入力など（-文字-メニューからの色/形状の選択、...ピクセル+寸法+それらの職業をプリンタードライバーコマンドに変換する全体的な慣習的なテキスト処理/画像処理インターフェイス-P.-ピクセル出力に割り当てられます）植栽材料を簡単に構成する。ユーザーフレンドリーなインターフェイス（ワードプロセッシング、描画プログラムなど）の有無にかかわらず、データレコードを作成したり、プラントピクセルファイルに基づいて制御コマンドを直接発行したり、アセンブリプロセスで使用を開始したりできるソフトウェアを使用できる。
その前に、マシンのサイズ（より詳細（ピクセル、フレーム全体、シャフト（+ツール+サポート））を設定/提供し、選択可能としてソフトウェアに保存する必要があります。同様に、マシンと互換性のある利用可能なプラント機器を選択用ソフトウェアに保存する必要がある。
【００５１】
これは、たとえば、代替選択可能な植物ピクセルファイルの形式で発生します。対応するマシンには、マガジンなどのアセンブリ材料が適切に供給されるだけでなく、ファイルに応じてストリップおよび/またはプレートアセンブリ用のさまざまな制御可能なアセンブリの選択肢から選択できる必要があります（両方とも、プレートスタック上でのプリプロダクションアセンブリの場合）。
【００５２】
したがって、データセットと制御プロセスを配置マシンで組み合わせることが可能である。最終顧客（または機械オペレーター自身（後で挿入））レタリングまたは写真サンプル、オンラインショップインターフェイスを介して個別にコンパイルされ、必要に応じてオンラインで注文できるため、顧客と注文データのレコードを組み合わせて、最終的に植えられたプレートスタック/コンテナまたは生産中の自分のコンテナ用の使用可能な装備ベルトをトリガーする。郵送による請求（標準化されたプリプロダクション->後述）。
【００５３】
広告スペースもこの方法で予約および構成できる。顧客またはプロのオペレーターは、工場の広告（標識、サンプル）を備えたファサードを設計可能である（ソフトウェアインターフェイス経由など）。
【００５４】
ただし、全体的に、すべてのより単純なバリアントも考えられる。プレートへの苗の簡単な散布またはテープへの固定（前/中）。原則として、プレートは互いの上に平らに積み重ねられているため、カットアウトはプレートの最大表面（通常は表面の最大部分）に配置される。
【００５５】
また、スロットが上から下へ（通常はテープで）（またはその間の任意の角度（例えば45°））になるように、一連のプレートを置いておくことも考えられる。しかし、水平カバーとドレンプレートでも可能である。
【００５６】
必要に応じてウィッキングストリップを導入
+内部シリンダー
アセンブリ間
-「後で」を挿入
エンドカスタマー-> オンラインショップ-                 ->そこ                    ->サブセクション    ->結合->
-ブラウザ内のサーフェイス   顧客データ    テキスト・画像    データセット
+契約の処理  加工       （顧客データ
+おそらく     ソフトウェアの注文 +契約+請求書
広告スペース     顧客表面                    +広告スペース)
->テキスト/
画像記録->マシン/
組み立て+制御された（準備（おそらくいくつかと組み合わせる））->装備
ピクセルごと
+距離
-> ... S
-最大ピクセル幅
-高さ/各植物ごと
（栄養不足を防ぐため）
-スリット->ピクセル-
-高さの最小/平均/正確な高さ
/苗の直径ごと
（横）
-特徴/パターンの寸法（最小線幅/線など）
少なくとも1つの植物ピクセルについて
-ただし、葉物野菜が優勢な時は
花の色は特徴、おきさ、寸法ごとに最小ピクセル数が
推奨事項である
これは慎重に与えられた色合い（例えば、植物ごとに小さな個々の花など）
が他の花のピクセルや葉の色、花の有無とは異なるためである。
同じことが葉物野菜にも当てはまる。
【符号の説明】
【００５７】
1.  容器(無土壌栽培)
2.  プレート
3.  プレート(2)上の孔
4.  最上部のプレート(2)
5.  底部のプレート(2)
6.  容器(1)を閉める上部カバープレート(2)
7.  容器(1)のドレンプレート
8.  プレート(2)によって形成される容器(1)内の空洞
9.  植物の発根
10.生育される植物全体
11.根以外の植物(1)の部位
12.容器(1)内のプレート(2)間のスロット
13.養分供給システム
14.植物(10)からの新芽
15.バンド（圧力吸収性、水透過性有り）
16.バンド(15)の内面
17.植物のピクセル
18.植物の高さ
19.植物の長さ
20.容器(1)内のプレート(2)間の植物スロットの高さ
21.容器(1)を組み立てる機械
22.(バンド(15)を回収するための)凸
23.凹み((22)の対照)
24.コイル・ベルト運送部
25.スナッパー
26.接続棒スナップグラバー＝容器(1)の固定
27.万力
28.糸
29.ハンドル
30.ワイヤーロープスリング
31.ワイヤーロープ(プレート層(1)の固定エイズ)
32.スナップ用および(31)固定用のワイヤーピン
33.プレート層固定棒
34.押し出し棒・クランプ棒(バンド15を引き延ばす)
35.余分なバンド(15)の切断
36.固定棒(33)およびワイヤーロープ(31)用のくぼみ
37.折り目
38.X字型の切り目
39.中間にくぼみのないバンド
40.縁
41.養生塊
42.密閉性のないフィルム（湿度保持）
43.霧状液体肥料
44.42用のホイルリング
45.42用のフィルムテープ
46.ホイル溶接繋ぎ目
47.釘板
48.発芽床
49.アイレット
50.ロープの始め
51.発芽床（請求項15）の固定
52.釘
53.液体肥料
54.容器の壁
55.穴の空いた壁（釘板に合う）
56.ポンプ
57.電源
58.砂袋
59.ホース
60.スプーン状のトレイ
61.網目
62.Zip-Growのタワー状のもの
63.前方の部品
64.スロット
65.根菜用の固形フォーム
66.卵パック状の表面
67.(65)の囲い
68.釘
69.スプリンクラー
70.母体
71.沈下
72.ネジ棒
2020526228.tif 000002
2020526228.tif 000003
2020526228.tif 000004
2020526228.tif 000005
2020526228.tif 000006
2020526228.tif 000007
2020526228.tif 000008
2020526228.tif 000009
2020526228.tif 000010
2020526228.tif 000011
2020526228.tif 000012
2020526228.tif 000013
2020526228.tif 000014
2020526228.tif 000015
2020526228.tif 000016
2020526228.tif 000017
2020526228.tif 000018
2020526228.tif 000019
2020526228.tif 000020
2020526228.tif 000021
2020526228.tif 000022
2020526228.tif 000023
2020526228.tif 000024
2020526228.tif 000025
2020526228.tif 000026
2020526228.tif 000027
2020526228.tif 000028
2020526228.tif 000029
2020526228.tif 000030
2020526228.tif 000031
2020526228.tif 000032
2020526228.tif 000033
2020526228.tif 000034
2020526228.tif 000035
2020526228.tif 000036
2020526228.tif 000037
【図５１】
2020526228.tif 000038
【図５２】
2020526228.tif 000039
【図５３】
2020526228.tif 000040
【図５５】
2020526228.tif 000041
【図６１】
2020526228.tif 000042
【図６２】
2020526228.tif 000043
【国際調査報告】
2020526228.tif 000044
2020526228.tif 000045
2020526228.tif 000046
2020526228.tif 000047
2020526228.tif 000048